(57)【特許請求の範囲】
【請求項１】
給湯管と、
給水管と、
前記給湯管に接続された第一電磁弁と、
前記給水管に接続された第二電磁弁と、
前記第一電磁弁及び前記第二電磁弁の下流に接続され、前記給湯管から供給された湯と前記給水管から供給された水とを混合するミキシングバルブと、
前記ミキシングバルブの下流に接続された電気分解槽と、
前記電気分解槽で生成した機能水を吐水する吐水口と、
前記電気分解槽に通電する際に、前記第一電磁弁を閉状態とする制御を実行する制御部と、
を備えたことを特徴とする衛生洗浄装置。
【請求項２】
前記第二電磁弁とミキシングバルブとの間の流路から分岐した分岐流路を有し、
前記分岐流路に前記制御部によって制御する第三電磁弁を設け、
前記第三電磁弁と前記電気分解槽の間に流路を配置したことを特徴とする請求項１記載の衛生洗浄装置。
【請求項３】
前記給水管と第二電磁弁との間の流路から分岐した分岐流路を有し、
前記分岐流路に前記制御部によって制御する第三電磁弁を設け、
前記電気分解槽と前記第三電磁弁との間に流路に配置したことを特徴とする請求項１記載の衛生洗浄装置。
【請求項４】
給湯管と、
給水管と、
前記給水管に接続され、前記給水管から供給された水が第１流路へ流れる状態と第２流路へ流れる状態とを切り替える切替弁と、
前記給湯管に接続された第一電磁弁と、
前記切替弁及び前記第一電磁弁の下流に設けられ、前記第１流路を介して前記給水管から供給された水と、前記給湯管から供給された湯と、を混合するミキシングバルブと、
前記ミキシングバルブの下流に接続され、前記第２流路を介して前記給水管から水が供給される電気分解槽と、
前記電気分解槽で生成した機能水を吐水する吐水口と、
前記電気分解槽に通電する際に、前記第一電磁弁を閉状態とする制御を実行する制御部と、
を備えたことを特徴とする衛生洗浄装置。
【請求項５】
給湯管と、
給水管と、
前記給湯管から供給された湯と前記給水管から供給された水とを混合するミキシングバルブと、
前記ミキシングバルブの下流に接続された第四電磁弁と、
前記第四電磁弁の下流に接続された電気分解槽と、
前記給水管と前記ミキシングバルブとの間の流路から分岐し、前記給水管から供給された水を前記電気分解槽へ導く分岐流路と、
前記分岐流路に設けられた第三電磁弁と、
前記電気分解槽で生成した機能水を吐水する吐水口と、
前記電気分解槽に通電する際に、前記第四電磁弁を閉状態とする制御を実行する制御部と、
を備えたことを特徴とする衛生洗浄装置。
【請求項６】
給湯管と、
給水管と、
前記給水管に接続され、前記給水管から供給された水が第１流路へ流れる状態と第２流路へ流れる状態とを切り替える切替弁と、
前記切替弁及び前記給湯管の下流に設けられ、前記第１流路を介して前記給水管から供給された水と、前記給湯管から供給された湯と、を混合するミキシングバルブと、
前記ミキシングバルブの下流に接続された第四電磁弁と、
前記第四電磁弁の下流に接続され、前記第２流路を介して前記給水管から水が供給される電気分解槽と、
前記電気分解槽で生成した機能水を吐水する吐水口と、
前記電気分解槽に通電する際に、前記第四電磁弁を閉状態とする制御を実行する制御部と、
を備えたことを特徴とする衛生洗浄装置。
【発明の詳細な説明】
【技術分野】
【０００１】
本発明の態様は、一般的に、衛生洗浄装置に関する。
【背景技術】
【０００２】
水道水と、湯と、を混合するミキシングバルブを備えた衛生洗浄装置が知られている。この衛生洗浄装置は、洋式腰掛便器に腰掛けた使用者の「おしり」などを水で洗浄する。
【０００３】
また、特許文献１では、機能水生成装置を有する装置が開示されている。
【０００４】
具体的には、供給された湯水に対して、機能水生成装置により電解作用及び電気浸透作用を与えてアルカリイオン水及び酸性イオン水を調整製造するイオン水生成装置が開示されている。
【先行技術文献】
【特許文献】
【０００５】
【特許文献１】特開平４−７６１２７号公報
【発明の概要】
【発明が解決しようとする課題】
【０００６】
しかしながら、特許文献１に記載されている技術では、湯を用いて電解するため、スケールが発生しやすいという課題がある。
【０００７】
そこで、本発明は、スケールの発生を抑制することができる衛生洗浄装置を提供することを目的とする。
【課題を解決するための手段】
【０００８】
本発明の第一態様は、給湯管と、給水管と、前記給湯管に接続された第一電磁弁と、前記給水管に接続された第二電磁弁と、前記第一電磁弁及び前記第二電磁弁の下流に接続され、前記給湯管から供給された湯と前記給水管から供給された水とを混合するミキシングバルブと、前記ミキシングバルブの下流に接続された電気分解槽と、前記電気分解槽で生成した機能水を吐水する吐水口と、前記電気分解槽に通電する際に、前記第一電磁弁を閉状態とする制御を実行する制御部と、を備えたことを特徴とする衛生洗浄装置である。
【０００９】
第一電磁弁と第二電磁弁と電気分解槽を制御する制御部とを有する衛生洗浄装置において、電気分解槽に通電する際に、第一電磁弁を閉にし、第二電磁弁を開にする。これにより、電気分解槽の通電中に高温の湯が電気分解槽へ流入しないので、スケールの発生を抑制することができる。
【００１０】
本発明の第二態様は、第一態様において、前記第二電磁弁とミキシングバルブとの間の流路から分岐した分岐流路を有し、前記分岐流路に前記制御部によって制御する第三電磁弁を設け、前記第三電磁弁と前記電気分解槽の間に流路を配置したことを特徴とする衛生洗浄装置である。
【００１１】
電気分解槽に通電する際に、第一電磁弁を閉にし、第二電磁弁を開にし、第三電磁弁を開にする。これにより、電気分解槽の通電中に高温の湯が電気分解槽へ流入しないので、スケールの発生を抑制することができる。
【００１２】
本発明の第三態様は、第一態様において、前記給水管と第二電磁弁との間の流路から分岐した分岐流路を有し、前記分岐流路に前記制御部によって制御する第三電磁弁を設け、前記電気分解槽と前記第三電磁弁との間に流路に配置したことを特徴とする衛生洗浄装置である。
【００１３】
電気分解槽に通電する際に、第一電磁弁を閉にし、第二電磁弁を閉にし、第三電磁弁を開にする。これにより、電気分解槽の通電中に高温の湯が電気分解槽へ流入しないので、スケールの発生を抑制することができる。
【００１４】
本発明の第四形態は、給湯管と、給水管と、前記給水管に接続され、前記給水管から供給された水が第１流路へ流れる状態と第２流路へ流れる状態とを切り替える切替弁と、前記給湯管に接続された第一電磁弁と、前記切替弁及び前記第一電磁弁の下流に設けられ、前記第１流路を介して前記給水管から供給された水と、前記給湯管から供給された湯と、を混合するミキシングバルブと、前記ミキシングバルブの下流に接続され、前記第２流路を介して前記給水管から水が供給される電気分解槽と、前記電気分解槽で生成した機能水を吐水する吐水口と、前記電気分解槽に通電する際に、前記第一電磁弁を閉状態とする制御を実行する制御部と、を備えたことを特徴とする衛生洗浄装置である。
【００１５】
電気分解槽に通電する際に、第一電磁弁を閉にし、第２流路に通水させる。これにより、電気分解槽の通電中に高温の湯が電気分解槽へ流入しないので、スケールの発生を抑制することができる。
【００１６】
本発明の第五形態は、給湯管と、給水管と、前記給湯管から供給された湯と前記給水管から供給された水とを混合するミキシングバルブと、前記ミキシングバルブの下流に接続された第四電磁弁と、前記第四電磁弁の下流に接続された電気分解槽と、前記給水管と前記ミキシングバルブとの間の流路から分岐し、前記給水管から供給された水を前記電気分解槽へ導く分岐流路と、前記分岐流路に設けられた第三電磁弁と、前記電気分解槽で生成した機能水を吐水する吐水口と、前記電気分解槽に通電する際に、前記第四電磁弁を閉状態とする制御を実行する制御部と、を備えたことを特徴とする衛生洗浄装置である。
【００１７】
電気分解槽に通電する際に、第四電磁弁を閉にし、第三電磁弁を開にする。これにより、電気分解槽の通電中に高温の湯が電気分解槽へ流入しないので、スケールの発生を抑制することができる。
【００１８】
本発明の第六形態は、給湯管と、給水管と、前記給水管に接続され、前記給水管から供給された水が第１流路へ流れる状態と第２流路へ流れる状態とを切り替える切替弁と、前記切替弁及び前記給湯管の下流に設けられ、前記第１流路を介して前記給水管から供給された水と、前記給湯管から供給された湯と、を混合するミキシングバルブと、前記ミキシングバルブの下流に接続された第四電磁弁と、前記第四電磁弁の下流に接続され、前記第２流路を介して前記給水管から水が供給される電気分解槽と、前記電気分解槽で生成した機能水を吐水する吐水口と、前記電気分解槽に通電する際に、前記第四電磁弁を閉状態とする制御を実行する制御部と、を備えたことを特徴とする衛生洗浄装置である。
【００１９】
切替弁と第四電磁弁と電気分解槽を制御する制御部を設け、第２流路と第四電磁弁と前記電気分解槽の間まで流路を有する。電気分解槽に通電する際に、第四電磁弁を閉にし、第２流路に通水させる。これにより、電気分解槽の通電中に高温の湯が電気分解槽へ流入しないので、スケールの発生を抑制することができる。
【発明の効果】
【００２０】
本発明の態様によれば、スケールの発生を抑制することができる衛生洗浄装置が提供される。
【図面の簡単な説明】
【００２１】
【図１】本発明の実施の形態にかかる衛生洗浄装置を備えたトイレ装置を表す斜視模式図である。
【図２】本発明の第一実施形態の衛生洗浄装置のブロック図である。
【図３】本発明の第二実施形態の衛生洗浄装置のブロック図である。
【図４】本発明の第三実施形態の衛生洗浄装置のブロック図である。
【図５】本発明の第四実施形態の衛生洗浄装置のブロック図である。
【図６】本発明の第五実施形態の衛生洗浄装置のブロック図である。
【図７】本発明の第六実施形態の衛生洗浄装置のブロック図である。
【発明を実施するための形態】
【００２２】
以下、本発明の実施の形態について図面を参照しつつ説明する。なお、各図面中、同様の構成要素には同一の符号を付して詳細な説明は適宜省略する。  
（第一実施形態）  
図１は、本発明の実施の形態にかかる衛生洗浄装置を備えたトイレ装置を表す斜視模式図である。
【００２３】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便ふた３００と、を有する。便座２００と便ふた３００とは、ケーシング４００に対して開閉自在にそれぞれ軸支されている。
【００２４】
ケーシング４００の内部には、便座２００に座った使用者の「おしり」などの洗浄を実現する身体洗浄機能などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、洗浄ノズル４７３を便器８００のボウル８０１内に進出させることができる。なお、図１に表した衛生洗浄装置１００では、洗浄ノズル４７３がボウル８０１内に進出した状態を表している。
【００２５】
洗浄ノズル４７３の先端部には、ひとつあるいは複数の吐水口４７４が設けられている。そして、洗浄ノズル４７３は、その先端部に設けられた吐水口４７４から水（温水）を噴射して、便座２００に座った使用者の「おしり」などを洗浄することができる。
【００２６】
図２は、第一実施形態に係る衛生洗浄装置を表すブロック図である。  
衛生洗浄装置１００は、給水管１０００と、給湯管１０１０と、給湯管１０１０に接続された第一電磁弁１０４０と、給水管１０００に接続された第二電磁弁１０３０と、第一電磁弁１０４０と第二電磁弁１０３０の流路合流点に接続されたミキシングバルブ１０５０と、ミキシングバルブの下流に接続された電気分解槽１０６０と、電気分解槽１０６０で生成した機能水を吐水する吐水口４７４と、制御部１０８０と、を有している。
【００２７】
例えば、第一電磁弁１０４０、第二電磁弁１０３０、ミキシングバルブ１０５０、電気分解槽１０６０及び制御部１０８０は、ケーシング４００の内部に設けられている。
【００２８】
なお、ブロック図において、各要素をつなぐ実線の矢印は水路を表し、破線は電気系統の接続関係を表す。
【００２９】
給湯管１０１０は、加熱装置などの給湯源（図示せず）に接続されており、衛生洗浄装置に湯（例えば加熱された水道水）を供給する。第一電磁弁１０４０は、開閉によって、その下流への湯の供給を制御する。また、給水管１０００は、水道などの給水源（図示せず）に接続されており、衛生洗浄装置に水（例えば常温の水道水）を供給する。第二電磁弁１０３０は、開閉によって、その下流への水の供給を制御する。
【００３０】
図２の例では、ミキシングバルブ１０５０は、第一電磁弁１０４０及び第二電磁弁１０３０の下流に接続されている。ミキシングバルブ１０５０は、給湯管１０１０から供給された湯と、給水管１０００から供給された水と、を混合して温水を生成する。  
ミキシングバルブ１０５０は、例えば、自動温度調整機能を有する。すなわち、ミキシングバルブ１０５０は、水の量及び湯の量を調整して、所定の温度範囲の温水を下流へ供給する。自動温度調整機能には、例えばワックスエレメントを用いることができる。但し、実施形態に用いられるミキシングバルブ１０５０は、必ずしも自動温度調整機能を有するものに限られない。ミキシングバルブ１０５０が自動温度調整機能を有する場合でも、温度を検知して水や湯の流量が調整されるまでの間は、所定の温度範囲外の水（又は湯）が下流へ流れ得る。すなわち、少量であれば、所定の温度範囲よりも低い温度の水道水がミキシングバルブ１０５０の下流へ流れ得る。
【００３１】
電気分解槽１０６０は、ミキシングバルブ１０５０の下流に設けられ、一対の電極（図示せず）を有し、給水源から供給された水を電気分解して性状を変化させて機能水と成すものである。電気分解槽１０６０に設けられた一対の電極への通電は、機能水が必要とされる場面に応じて適宜行われるものである。
【００３２】
制御部１０８０は、例えば、マイコンなどの集積回路である。制御部１０８０は、電磁弁（第一電磁弁１０４０や第二電磁弁１０３０など）の開／閉を制御する。また、制御部１０８０は、電気分解槽１０６０の通電／非通電を制御する。
【００３３】
続いて、動作について、電気分解槽１０６０を使用（通電）する場合と、電気分解槽１０６０を使用しない場合と、に分けて説明する。
【００３４】
＜電気分解槽を使用しない場合＞
制御部１０８０の制御により第一電磁弁１０４０が開き、給湯管１０１０より供給された湯はミキシングバルブ１０５０に供給される。給水管１０００も同様で、給水管１０００より供給された水は、制御部１０８０の制御により第二電磁弁１０３０が開き、ミキシングバルブ１０５０に供給される。ミキシングバルブ１０５０に供給された湯と水は混合して、電気分解槽１０６０に流れて、吐水口４７４より吐水される。
【００３５】
＜電気分解槽を使用する場合＞
制御部１０８０の制御により第一電磁弁１０４０は閉状態とされ、給湯管１０１０より供給された湯はミキシングバルブ１０５０に供給されない。給水管１０００より供給された水は、制御部１０８０により第二電磁弁１０３０が開き、ミキシングバルブ１０５０に供給されて、電気分解槽１０６０に流れる。しかしミキシングバルブ１０５０の機能上、少量の水だけ電気分解槽１０６０に流れる。水が電気分解槽１０６０に流れた際に、制御部１０８０の制御により、機能水が生成される。生成された機能水は、吐水口４７４より吐水されて、ノズル流路内の洗浄に使用されて、ノズル流路内を清潔に保つことができる。
【００３６】
また、衛生洗浄装置に供給される水や湯には、カルシウムやマグネシウムなどの成分が含まれていることがある。例えば、カルシウムを含む塩類などの溶解度は、水や湯のｐＨや温度に依存する。このため、電気分解槽１０６０の通電中に温度が高い湯が流れると、電気分解槽１０６０にカルシウム成分などに起因したスケール（塩類等）が析出しやすい。
【００３７】
これに対して、実施形態においては、電気分解槽１０６０に通電する際に、制御部１０８０は、第一電磁弁１０４０を閉状態とする。このため、電気分解槽１０６０の通電中には、温度の高い湯や温水が電気分解槽１０６０に流入しないので、スケールの析出を抑制することができる。
【００３８】
（第二実施形態）  
図３は、第二実施形態に係る衛生洗浄装置を表すブロック図である。  
図３は、第一実施形態に係る衛生洗浄装置１００に、第三電磁弁１０９０が追加された衛生洗浄装置１００ａを表すブロック図である。第二電磁弁１０３０とミキシングバルブ１０５０の間に分岐流路５を設け、設けた分岐流路５に第三電磁弁１０９０を接続して、第三電磁弁１０９０と電気分解槽１０６０を接続する。すなわち、分岐流路５は、第二電磁弁１０３０とミキシングバルブ１０５０との間の流路から分岐しており、給水管１０００から供給された水を電気分解槽１０６０へ導く。
【００３９】
続いて、動作について、電気分解槽１０６０を使用する場合と、電気分解槽１０６０を使用しない場合と、に分けて説明する。
【００４０】
＜電気分解槽を使用しない場合＞
給湯管１０１０より供給された湯は、制御部１０８０の制御により第一電磁弁１０４０が開き、ミキシングバルブ１０５０に供給される。給水管１０００側も同様で、給水管１０００より供給された水は、制御部１０８０の制御により第二電磁弁１０３０が開き、ミキシングバルブ１０５０に供給される。第三電磁弁１０９０は、制御部１０８０の制御により開かない。ミキシングバルブ１０５０に供給された湯と水は、混合して、電気分解槽１０６０に流れて、吐水口４７４より吐水される。
【００４１】
＜電気分解槽を使用する場合＞
給湯管１０１０より供給された湯は、制御部１０８０の制御により第一電磁弁１０４０が開かず、ミキシングバルブ１０５０に湯が供給されない。給水管１０００より供給された水は、制御部１０８０の制御により第二電磁弁１０３０が開き、ミキシングバルブ１０５０に供給される。また分岐流路５側では、給水管１０００より供給された水は、制御部１０８０の制御により第三電磁弁１０９０が開き、電気分解槽１０６０に供給される。つまり、水は第二電磁弁１０３０側と第三電磁弁１０９０側から電気分解槽１０６０に供給される。分岐流路５からの供給により、図２の流路構成のときよりも、多くの水を電気分解槽１０６０に供給することができる。水が電気分解槽１０６０に供給されたとき、制御部１０８０の制御により機能水が生成される。生成された機能水は、吐水口４７４より吐水されて、ノズル流路内が洗浄されて、ノズル内をきれいに保つことができる。
【００４２】
（第三実施形態）  
図４は、第三実施形態に係る衛生洗浄装置を表すブロック図である。  
図４は、第一実施形態に係る衛生洗浄装置１００に第三電磁弁１０９０が追加された衛生洗浄装置１００ｂを表すブロック図である。給水管１０００と第二電磁弁１０３０の間に分岐流路６を設け、設けた流路に第三電磁弁１０９０が接続されて、第三電磁弁１０９０から電気分解槽１０６０まで流路が構成されている。すなわち、分岐流路６は、給水管１０００と第二電磁弁１０３０との間の流路から分岐していおり、給水管１０００から供給された水を電気分解槽１０６０へ導く流路である。
【００４３】
続いて、動作について、電気分解槽１０６０を使用する場合と、電気分解槽１０６０を使用しない場合と、に分けて説明する。
【００４４】
＜電気分解槽を使用しない場合＞
制御部１０８０の制御により第一電磁弁１０４０が開き、給湯管１０１０より供給された湯はミキシングバルブ１０５０に供給される。給水管１０００も同様で給水管１０００より供給された水は、制御部１０８０の制御により第二電磁弁１０３０が開き、ミキシングバルブ１０５０に供給される。第三電磁弁１０９０は、制御部１０８０の制御により開かれない。ミキシングバルブ１０５０に供給された湯と水は、混合して電気分解槽１０６０に流れて、吐水口４７４より吐水される。
【００４５】
＜電気分解槽を使用する場合＞
制御部１０８０の制御により第一電磁弁１０４０が開かず、ミキシングバルブ１０５０に湯が供給されない。給水管１０００より供給された水は、制御部１０８０の制御により第二電磁弁１０３０が閉じて、ミキシングバルブ１０５０に水が供給されない。制御部１０８０の制御により第三電磁弁１０９０が開き、電気分解槽１０６０に水が供給される。分岐流路６からの供給により、図２の流路構成のときよりも、多くの水を電気分解槽１０６０に供給することができる。水が電気分解槽１０６０に供給されたとき、制御部１０８０の制御により機能水が生成される。生成された機能水は、吐水口４７４より吐水されて、ノズル流路内が洗浄されて、ノズル内をきれいに保つことができる。
【００４６】
（第四実施形態）  
図５は、第四実施形態に係る衛生洗浄装置を表すブロック図である。  
図５は、第一実施形態に係る衛生洗浄装置１００において第二電磁弁１０３０が切替弁１１１０に変更になった衛生洗浄装置１００ｃを表すブロック図である。切替弁１１１０は、給水管１０００に接続されている。切替弁１１１０後に流路１（第１流路７）と流路２（第２流路８）を設けて、流路１を流れた水はミキシングバルブに流れて、流路２を流れた水は電気分解槽１０６０に流れる。
【００４７】
制御部１０８０は、第一電磁弁１０４０や電気分解槽１０６０の制御に加えて、切替弁１１１０の動作の制御を行う。すなわち、切替弁１１１０は、制御部１０８０の制御によって、給水管１０００から供給された水が流路１へ流れる状態と流路２へ流れる状態とを切り替える。
【００４８】
続いて、動作について、電気分解槽１０６０を使用する場合と、電気分解槽１０６０を使用しない場合と、に分けて説明する。
【００４９】
＜電気分解槽を使用しない場合＞
制御部１０８０の制御により第一電磁弁１０４０が開き、ミキシングバルブ１０５０に湯が供給される。給水管１０００より供給された水は、切替弁１１１０に供給される。このとき、制御部１０８０の制御により、切替弁１１１０は、流路１側に水を流す状態に切り替えられる。これにより、流路１を介して給水管１０００からミキシングバルブ１０５０に水が供給される。ミキシングバルブ１０５０に供給された湯と水は混合されて、電気分解槽１０６０に流れて、吐水口４７４より排水される。
【００５０】
＜電気分解槽を使用する場合＞
制御部１０８０の制御により第一電磁弁１０４０が開かず、ミキシングバルブ１０５０に湯が供給されない。給水管１０００より供給された水は切替弁１１１０に供給される。このとき、制御部１０８０の制御により、切替弁１１１０は、流路２側に水を流す状態に切り替えられる。これにより、流路２を介して給水管１０００から電気分解槽１０６０に供給される。水の流路がミキシングバルブ１０５０を迂回するため、図２と比べて、多くの水を電気分解槽１０６０に供給することができる。水が電気分解槽１０６０に供給されたとき、制御部１０８０の制御により、機能水が生成される。生成された機能水は、吐水口４７４より吐水されて、ノズル流路内が洗浄されて、ノズル内をきれいに保つことができる。図５に表した例では、図２、図３及び図４に表した流路構成と比較して、電磁弁の個数が一つ減るため、安価な流路構成ができる。また、スペースができてデザイン面も自由度が上がると考えられる。
【００５１】
（第五実施形態）  
図６は、第五実施形態に係る衛生洗浄装置を表すブロック図である。  
図６に表した衛生洗浄装置１００ｄにおいては、給湯管１０１０と給水管１０００の流路合流地点にミキシングバルブ１０５０を接続して、ミキシングバルブ１０５０の下流に第四電磁弁１１２０を接続して、第四電磁弁１１２０の下流に電気分解槽１０６０を設けて、電気分解槽１０６０の下流に吐水口４７４を設けている。また、給水管１０００とミキシングバルブ１０５０の間に分岐流路９を設けて、分岐流路９に第三電磁弁１０９０を接続する。そして、第三電磁弁１０９０の下流に電気分解槽１０６０を接続する。すなわち、分岐流路９は、給水管１０００とミキシングバルブ１０５０との間の流路から分岐し、給水管１０００から供給された水を電気分解槽１０６０へ導く。制御部１０８０は、第三電磁弁１０９０、第四電磁弁１１２０及び電気分解槽１０６０の動作を制御する。
【００５２】
続いて、動作について、電気分解槽１０６０を使用する場合と、電気分解槽１０６０を使用しない場合と、に分けて説明する。
【００５３】
＜電気分解槽を使用しない場合＞
給水管１０００より供給された水及び給湯管１０１０より供給された湯は、ミキシングバルブ１０５０に供給される。制御部１０８０の制御により第三電磁弁１０９０は閉じたままである。第四電磁弁１１２０は制御部１０８０の制御により開となり、ミキシングバルブ１０５０によって混合された湯及び水は、電気分解槽１０６０に供給されて吐水口４７４より吐水される。
【００５４】
＜電気分解槽を使用する場合＞
給水管１０００より供給された水及び給湯管１０１０より供給された湯は、制御部１０８０の制御により第四電磁弁１１２０は閉じられて、電気分解槽１０６０に流れない。第三電磁弁１０９０は、制御部１０８０の制御により開かれて、給水管１０００から水が電気分解槽１０６０に供給される。制御部１０８０の制御により電気分解槽１０６０に通電されて、機能水が生成される。生成された機能水は、吐水口４７４より吐水されて、ノズル流路内が洗浄されて、ノズル内をきれいに保つことができる。図６に表した例では、図２、図３及び図４に表した流路構成と比較して、電磁弁の個数が一つ減るため、安価な流路構成ができる。また、スペースができてデザイン面も自由度が上がると考えられる。
【００５５】
また、制御部１０８０は、電気分解槽１０６０に通電する際に、第四電磁弁１１２０を閉状態とする。このため、電気分解槽１０６０の通電中には、温度の高い温水が電気分解槽１０６０に流入しないので、スケールの析出を抑制することができる。
【００５６】
（第六実施形態）  
図７は、第六実施形態に係る衛生洗浄装置を表すブロック図である。  
図７は、第五実施形態に係る衛生洗浄装置１００ｄにおいて第三電磁弁１０９０が切替弁１１１０に変更になった衛生洗浄装置１００ｅを表すブロック図である。給水管１０００とミキシングバルブ１０５０の間に切替弁１１１０を設けて、切替弁１１１０の下流に流路１（第１流路１１）と流路２（第２流路１２）を設ける。流路１はミキシングバルブ１０５０に接続されて、流路２は電気分解槽１０６０に接続される。
【００５７】
制御部１０８０は、第四電磁弁１１２０や電気分解槽１０６０に加えて、切替弁１１１０の動作の制御を行う。すなわち、切替弁１１１０は、制御部１０８０の制御によって、給水管１０００から供給された水が流路１へ流れる状態と流路２へ流れる状態とを切り替える。
【００５８】
続いて、動作について電気分解槽１０６０を使用する場合と、電気分解槽１０６０を使用しない場合と、に分けて説明する。
【００５９】
＜電気分解槽を使用しない場合＞
給水管１０００より供給された水は、流路１に流されてミキシングバルブ１０５０に供給される。また、給湯管１０１０より供給された湯はミキシングバルブ１０５０に供給される。制御部１０８０の制御により第四電磁弁１１２０が開き、電気分解槽１０６０に供給される。電気分解槽１０６０に供給された水は吐水口４７４より吐水される。
【００６０】
＜電気分解槽を使用する場合＞
給湯管１０１０より供給された湯は、制御部１０８０の制御によって、第四電磁弁１１２０が開かず、電気分解槽１０６０に供給されない。給水管１０００より供給された水は切替弁１１１０へ流れる。このとき、制御部１０８０の制御により、切替弁１１１０は、流路２側に水を流す状態に切り替えられる。これにより、流路２を介して給水管１０００を介して電気分解槽１０６０へ水が供給される。電気分解槽１０６０に水が供給されたとき、制御部１０８０の制御により、機能水が生成される。生成された機能水は、吐水口４７４より吐水されて、ノズル流路内が洗浄されて、ノズル内をきれいに保つことができる。図５に表した例では、図２、図３及び図４に表した流路構成と比較して、電磁弁の個数が一つ減るため、安価な流路構成ができる。また、スペースができてデザイン面も自由度が上がると考えられる。
【００６１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、給湯管、給水管、第一〜第四電磁弁、電気分解槽、吐水口、制御部などの各要素の形状、寸法、材質、配置、設置形態などは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６２】
５、６ 分岐流路、  ７ 第１流路、  ８ 第２流路、  ９ 分岐流路、  １１ 第１流路、  １２ 第２流路、  １００ 衛生洗浄装置、  １０００ 給水管、  １００ａ〜１００ｅ 衛生洗浄装置、  １０１０ 給湯管、  １０３０ 第二電磁弁、  １０４０ 第一電磁弁、  １０５０ ミキシングバルブ、  １０６０ 電気分解槽、  １０８０ 制御部、  １０９０ 第三電磁弁、  １１１０ 切替弁、  １１２０ 第四電磁弁、  ２００ 便座、  ４００ ケーシング、  ４０４ 着座検知センサ、  ４７３ 洗浄ノズル、  ４７４ 吐水口、  ８００ 便器、  ８０１ ボウル
【図１】
0006736945.tif 000002
【図２】
0006736945.tif 000003
【図３】
0006736945.tif 000004
【図４】
0006736945.tif 000005
【図５】
0006736945.tif 000006
【図６】
0006736945.tif 000007
【図７】
0006736945.tif 000008